【手続補正書】
【提出日】平成25年4月19日(2013.4.19)
【手続補正１】
【補正対象書類名】特許請求の範囲
【補正対象項目名】全文
【補正方法】変更
【補正の内容】
【特許請求の範囲】
【請求項１】
作動装置１０により作動して着座者を車両用シート１に拘束する任意機器Ｋを設け、前記作動装置１０は、ガスジェネレータ１６で発生する高圧ガスのガス圧によってシリンダ１１内のピストン１２を移動させ、該ピストン１２の移動による反力でシリンダ１１を移動させて、もって、前記シリンダ１１と前記ピストン１２とが互いに反力により夫々反対方向に移動し、該シリンダ１１と前記ピストン１２の移動をワイヤーケーブル１３により伝動して前記任意機器Ｋを作動させて着座者を拘束するように構成し、前記ガスジェネレータ１６はシリンダ１１の端部の外周に設け、ガスジェネレータ１６を設けた側のシリンダ１１内にはシリンダ１１の軸心方向と並行で所定長さを有する内筒部材２２を設け、該内筒部材２２に前記ワイヤケーブル１３の一方側ケーブル１３Ａを挿通し、前記内筒部材２２より突出する一方側ケーブル１３Ａに前記ピストン１２を係止し、該ピストン１２は所定長さの嵌合筒部材２１を有して形成し、該嵌合筒部材２１は前記内筒部材２２の外周に嵌合させて構成した車両用シート。
【請求項２】
請求項１において、前記内筒部材２２の内周面にはオーリング３８を設け、前記内筒部材２２の長さおよび嵌合筒部材２１の長さは、シリンダ１１内でのピストン１２の移動量による制約の許す範囲で可及的に長くするように構成し、前記内筒部材２２は所定長さを有して形成し、該内筒部材２２と前記ピストン１２の嵌合筒部材２１との重なる部分の長さは前記一方側ケーブル１３Ａの移動距離と略同じに構成し、前記ワイヤケーブル１３は一対の一方側ケーブル１３Ａと他方側ケーブル１３Ｂにより構成し、一方側ケーブル１３Ａと他方側ケーブル１３Ｂのうち、他方側ケーブル１３Ｂの一端はシリンダ１１のシリンダ側ワイヤ係止部１７に接続し、前記一方側ケーブル１３Ａと他方側ケーブル１３Ｂの他端部は任意の係止部Ｔに夫々接続し、前記シリンダ１１と前記係止部Ｔとは、軸心方向を左右方向とした前記シリンダ１１の軸心方向に対して交差方向に前記ワイヤケーブル１３が牽引されるように夫々配置し、前記シリンダ１１と前記係止部Ｔの夫々の一方側ケーブル１３Ａと他方側ケーブル１３Ｂの中間位置には、前記シリンダ１１およびピストン１２によるワイヤケーブル１３の左右方向の移動方向を、前後方向に変換する左右一対のケーブルガイド６１を設け、前記シリンダ１１は、該シリンダ１１自体の移動量が左右のケーブルガイド６１間に収まるように設定し、前記左右のケーブルガイド６１のうち、シリンダ１１の移動方向側に設けるケーブルガイド６１とシリンダ１１の端部との間に、シリンダ１１自体の移動量より大きい間隔を設け、前記シリンダ１１のシリンダ側ワイヤ係止部１７とケーブルガイド６１との間隔ｈよりも、シリンダ１１の反シリンダ側ワイヤ係止部１７の端部とケーブルガイド６１との間隔Ｈを広くすると共に、前記間隔Ｈをシリンダ１１自体の移動量より大きくし、前記シリンダ１１は左右のケーブルガイド６１の間に一方側ケーブル１３Ａと他方側ケーブル１３Ｂにより宙吊り状態に設けて構成した車両用シート。
【請求項３】
請求項１において、前記内筒部材２２の内周面にはオーリング３８を設けた車両用シート。
【請求項４】
請求項１または請求項３において、前記内筒部材２２の長さおよび嵌合筒部材２１の長さは、シリンダ１１内でのピストン１２の移動量による制約の許す範囲で可及的に長くするように構成した車両用シート。
【請求項５】
請求項１または請求項３または請求項４において、前記内筒部材２２は所定長さを有して形成し、該内筒部材２２と前記ピストン１２の嵌合筒部材２１との重なる部分の長さは前記一方側ケーブル１３Ａの移動距離と略同じに構成した車両用シート。
【請求項６】
請求項１または請求項３または請求項４または請求項５において、前記ワイヤケーブル１３は一対の一方側ケーブル１３Ａと他方側ケーブル１３Ｂにより構成し、一方側ケーブル１３Ａと他方側ケーブル１３Ｂの夫々の一端は前記ピストン１２およびシリンダ１１のシリンダ側ワイヤ係止部１７の夫々に接続し、前記一方側ケーブル１３Ａと他方側ケーブル１３Ｂの他端部は任意の係止部Ｔに夫々接続し、前記シリンダ１１と前記係止部Ｔとは、軸心方向を左右方向とした前記シリンダ１１の軸心方向に対して交差方向に前記ワイヤケーブル１３が牽引されるように夫々配置し、前記シリンダ１１と前記係止部Ｔの夫々の一方側ケーブル１３Ａと他方側ケーブル１３Ｂの中間位置には、前記シリンダ１１およびピストン１２によるワイヤケーブル１３の左右方向の移動方向を、前後方向に変換する左右一対のケーブルガイド６１を設け、前記シリンダ１１は、該シリンダ１１自体の移動量が左右のケーブルガイド６１間に収まるように設定した車両用シート。
【請求項７】
請求項６において、前記左右のケーブルガイド６１のうち、シリンダ１１の移動方向側に設けるケーブルガイド６１とシリンダ１１の端部との間に、シリンダ１１自体の移動量より大きい間隔を設けた車両用シート。
【請求項８】
請求項７において、前記シリンダ１１のシリンダ側ワイヤ係止部１７とケーブルガイド６１との間隔ｈよりも、シリンダ１１の反シリンダ側ワイヤ係止部１７の端部とケーブルガイド６１との間隔Ｈを広くすると共に、前記間隔Ｈをシリンダ１１自体の移動量より大きくした車両用シート。
【請求項９】
請求項６または請求項７または請求項８において、前記シリンダ１１は左右のケーブルガイド６１の間に一方側ケーブル１３Ａと他方側ケーブル１３Ｂにより宙吊り状態に設けて構成した車両用シート。
【請求項１０】
請求項１または請求項３または請求項４または請求項５または請求項６または請求項７または請求項８または請求項９において、前記車両用シートの任意機器Ｋは車両用シート１の座席シート３の移動装置とし、前記作動装置１０は前記座席シート３を後方移動させる座席移動用プリテンショナ装置１０Ａとし、該座席移動用プリテンショナ装置１０Ａは、車体が所定以上の加速を受けると、前記シリンダ１１および前記ピストン１２の移動を前記ワイヤケーブル１３により前記座席シート３に伝達して車体側に取付けた固定フレーム４６に対して前記座席シート３が後方移動するように構成した車両用シート。
【請求項１１】
請求項１または請求項３または請求項４または請求項５または請求項６または請求項７または請求項８または請求項９または請求項１０において、前記車両用シートの任意機器Ｋは、車両用シート１の着座者を拘束するシートベルト４０とし、前記作動装置１０は前記シートベルト４０を緊張させるベルト用プリテンショナ装置１０Ｂとし、該ベルト用プリテンショナ装置１０Ｂは、所定以上の加速度を受けると、前記ベルト用プリテンショナ装置１０Ｂの前記シリンダ１１および前記ピストン１２の移動を前記ワイヤケーブル１３により前記シートベルト４０に伝達して乗員を拘束させる方向にシートベルト４０が移動するように構成した車両用シート。
【請求項１２】
請求項１１において、前記車両用シートの任意機器Ｋとして車両用シート１の座席シート３の移動装置およびシートベルト４０を併存させ、前記作動装置１０として前記座席シート３を後方移動させる座席移動用プリテンショナ装置１０Ａとベルト用プリテンショナ装置１０Ｂとを設け、前記座席移動用プリテンショナ装置１０Ａのシリンダ１１は、前記ベルト用プリテンショナ装置１０Ｂのシリンダ１１よりも上方に位置させ、座席移動用プリテンショナ装置１０Ａのシリンダ１１が座席シート３と共に後方移動したベルト用プリテンショナ装置１０Ｂのシリンダ１１に干渉しないように配置構成した車両用シート。
【請求項１３】
請求項１１または請求項１２において、前記座席移動用プリテンショナ装置１０Ａのケーブルガイド６１は、前記ベルト用プリテンショナ装置１０Ｂのケーブルガイド６１が案内する前記ワイヤケーブル１３より内側に前記座席移動用プリテンショナ装置１０Ａのワイヤケーブル１３を位置させて案内するように、配置構成した車両用シート。
【手続補正２】
【補正対象書類名】明細書
【補正対象項目名】０００４
【補正方法】変更
【補正の内容】
【０００４】
請求項１の発明は、作動装置１０により作動して着座者を車両用シート１に拘束する任意機器Ｋを設け、前記作動装置１０は、ガスジェネレータ１６で発生する高圧ガスのガス圧によってシリンダ１１内のピストン１２を移動させ、該ピストン１２の移動による反力でシリンダ１１を移動させて、もって、前記シリンダ１１と前記ピストン１２とが互いに反力により夫々反対方向に移動し、該シリンダ１１と前記ピストン１２の移動をワイヤーケーブル１３により伝動して前記任意機器Ｋを作動させて着座者を拘束するように構成し、前記ガスジェネレータ１６はシリンダ１１の端部の外周に設け、ガスジェネレータ１６を設けた側のシリンダ１１内にはシリンダ１１の軸心方向と並行で所定長さを有する内筒部材２２を設け、該内筒部材２２に前記ワイヤケーブル１３の一方側ケーブル１３Ａを挿通し、前記内筒部材２２より突出する一方側ケーブル１３Ａに前記ピストン１２を係止し、該ピストン１２は所定長さの嵌合筒部材２１を有して形成し、該嵌合筒部材２１は前記内筒部材２２の外周に嵌合させて構成した車両用シートとしたものである。
請求項２の発明は、前記内筒部材２２の内周面にはオーリング３８を設け、前記内筒部材２２の長さおよび嵌合筒部材２１の長さは、シリンダ１１内でのピストン１２の移動量による制約の許す範囲で可及的に長くするように構成し、前記内筒部材２２は所定長さを有して形成し、該内筒部材２２と前記ピストン１２の嵌合筒部材２１との重なる部分の長さは前記一方側ケーブル１３Ａの移動距離と略同じに構成し、前記ワイヤケーブル１３は一対の一方側ケーブル１３Ａと他方側ケーブル１３Ｂにより構成し、一方側ケーブル１３Ａと他方側ケーブル１３Ｂのうち、他方側ケーブル１３Ｂの一端はシリンダ１１のシリンダ側ワイヤ係止部１７に接続し、前記一方側ケーブル１３Ａと他方側ケーブル１３Ｂの他端部は任意の係止部Ｔに夫々接続し、前記シリンダ１１と前記係止部Ｔとは、軸心方向を左右方向とした前記シリンダ１１の軸心方向に対して交差方向に前記ワイヤケーブル１３が牽引されるように夫々配置し、前記シリンダ１１と前記係止部Ｔの夫々の一方側ケーブル１３Ａと他方側ケーブル１３Ｂの中間位置には、前記シリンダ１１およびピストン１２によるワイヤケーブル１３の左右方向の移動方向を、前後方向に変換する左右一対のケーブルガイド６１を設け、前記シリンダ１１は、該シリンダ１１自体の移動量が左右のケーブルガイド６１間に収まるように設定し、前記左右のケーブルガイド６１のうち、シリンダ１１の移動方向側に設けるケーブルガイド６１とシリンダ１１の端部との間に、シリンダ１１自体の移動量より大きい間隔を設け、前記シリンダ１１のシリンダ側ワイヤ係止部１７とケーブルガイド６１との間隔ｈよりも、シリンダ１１の反シリンダ側ワイヤ係止部１７の端部とケーブルガイド６１との間隔Ｈを広くすると共に、前記間隔Ｈをシリンダ１１自体の移動量より大きくし、前記シリンダ１１は左右のケーブルガイド６１の間に一方側ケーブル１３Ａと他方側ケーブル１３Ｂにより宙吊り状態に設けて構成した車両用シートとしたものである。
請求項３の発明は、前記内筒部材２２の内周面にはオーリング３８を設けた車両用シートとしたものである。
請求項４の発明は、前記内筒部材２２の長さおよび嵌合筒部材２１の長さは、シリンダ１１内でのピストン１２の移動量による制約の許す範囲で可及的に長くするように構成した車両用シートとしたものである。
請求項５の発明は、前記内筒部材２２は所定長さを有して形成し、該内筒部材２２と前記ピストン１２の嵌合筒部材２１との重なる部分の長さは前記一方側ケーブル１３Ａの移動距離と略同じに構成した車両用シートとしたものである。
請求項６の発明は、前記ワイヤケーブル１３は一対の一方側ケーブル１３Ａと他方側ケーブル１３Ｂにより構成し、一方側ケーブル１３Ａと他方側ケーブル１３Ｂの夫々の一端は前記ピストン１２およびシリンダ１１のシリンダ側ワイヤ係止部１７の夫々に接続し、前記一方側ケーブル１３Ａと他方側ケーブル１３Ｂの他端部は任意の係止部Ｔに夫々接続し、前記シリンダ１１と前記係止部Ｔとは、軸心方向を左右方向とした前記シリンダ１１の軸心方向に対して交差方向に前記ワイヤケーブル１３が牽引されるように夫々配置し、前記シリンダ１１と前記係止部Ｔの夫々の一方側ケーブル１３Ａと他方側ケーブル１３Ｂの中間位置には、前記シリンダ１１およびピストン１２によるワイヤケーブル１３の左右方向の移動方向を、前後方向に変換する左右一対のケーブルガイド６１を設け、前記シリンダ１１は、該シリンダ１１自体の移動量が左右のケーブルガイド６１間に収まるように設定した車両用シートとしたものである。
請求項７の発明は、前記左右のケーブルガイド６１のうち、シリンダ１１の移動方向側に設けるケーブルガイド６１とシリンダ１１の端部との間に、シリンダ１１自体の移動量より大きい間隔を設けた車両用シートとしたものである。
請求項８の発明は、前記シリンダ１１のシリンダ側ワイヤ係止部１７とケーブルガイド６１との間隔ｈよりも、シリンダ１１の反シリンダ側ワイヤ係止部１７の端部とケーブルガイド６１との間隔Ｈを広くすると共に、前記間隔Ｈをシリンダ１１自体の移動量より大きくした車両用シートとしたものである。
請求項９の発明は、前記シリンダ１１は左右のケーブルガイド６１の間に一方側ケーブル１３Ａと他方側ケーブル１３Ｂにより宙吊り状態に設けて構成した車両用シートとしたものである。
請求項１０の発明は、前記車両用シートの任意機器Ｋは車両用シート１の座席シート３の移動装置とし、前記作動装置１０は前記座席シート３を後方移動させる座席移動用プリテンショナ装置１０Ａとし、該座席移動用プリテンショナ装置１０Ａは、車体が所定以上の加速を受けると、前記シリンダ１１および前記ピストン１２の移動を前記ワイヤケーブル１３により前記座席シート３に伝達して車体側に取付けた固定フレーム４６に対して前記座席シート３が後方移動するように構成した車両用シートとしたものである。
請求項１１の発明は、前記車両用シートの任意機器Ｋは、車両用シート１の着座者を拘束するシートベルト４０とし、前記作動装置１０は前記シートベルト４０を緊張させるベルト用プリテンショナ装置１０Ｂとし、該ベルト用プリテンショナ装置１０Ｂは、所定以上の加速度を受けると、前記ベルト用プリテンショナ装置１０Ｂの前記シリンダ１１および前記ピストン１２の移動を前記ワイヤケーブル１３により前記シートベルト４０に伝達して乗員を拘束させる方向にシートベルト４０が移動するように構成した車両用シートとしたものである。
請求項１２の発明は、前記車両用シートの任意機器Ｋとして車両用シート１の座席シート３の移動装置およびシートベルト４０を併存させ、前記作動装置１０として前記座席シート３を後方移動させる座席移動用プリテンショナ装置１０Ａとベルト用プリテンショナ装置１０Ｂとを設け、前記座席移動用プリテンショナ装置１０Ａのシリンダ１１は、前記ベルト用プリテンショナ装置１０Ｂのシリンダ１１よりも上方に位置させ、座席移動用プリテンショナ装置１０Ａのシリンダ１１が座席シート３と共に後方移動したベルト用プリテンショナ装置１０Ｂのシリンダ１１に干渉しないように配置構成した車両用シートとしたものである。
請求項１３の発明は、前記座席移動用プリテンショナ装置１０Ａのケーブルガイド６１は、前記ベルト用プリテンショナ装置１０Ｂのケーブルガイド６１が案内する前記ワイヤケーブル１３より内側に前記座席移動用プリテンショナ装置１０Ａのワイヤケーブル１３を位置させて案内するように、配置構成した車両用シートとしたものである。
【手続補正３】
【補正対象書類名】明細書
【補正対象項目名】０００５
【補正方法】変更
【補正の内容】
【０００５】
請求項１および請求項２の発明では、作動装置１０は一つのシリンダ１１により着座者を拘束するというワイヤーケーブル１３の可撓性を利用した配置の自由度はそのままので、着座者を良好に拘束できると共に、ワイヤケーブル１３が内筒部材２２により包囲されて直接ガスジェネレータ１６のガスに晒される部分を減少させて、ワイヤケーブル１３の強度の低下を抑制でき、作動を安定確実にできる。
請求項３の発明では、オーリング３８は内筒部材２２の内周面に設けているので、オーリング３８がガス噴出室２０内に露出する構造に比し、シール性の信頼性・耐久性を向上させる。
請求項４の発明では、内筒部材２２および嵌合筒部材２１の夫々の長さは、シリンダ１１内でのピストン１２の移動量による制約の許す範囲で可及的に長くしているため、内筒部材２２および嵌合筒部材２１により包囲されるワイヤケーブル１３の長さを長くして、ワイヤケーブル１３の直接ガスジェネレータ１６のガスに晒される部分を減少させて、ワイヤケーブル１３の強度の低下を抑制でき、作動を安定確実にできる。
請求項５の発明では、内筒部材２２と嵌合筒部材２１との重なる部分の長さを、一方側ケーブル１３Ａの移動距離と略同じにしているので、シリンダ１１内のワイヤケーブル１３は殆ど内筒部材２２と嵌合筒部材２１とにより包囲されて、ガスジェネレータ１６のガスに直接晒されるのを防止でき、一層、ワイヤケーブル１３の強度の低下を抑制でき、作動を安定確実にできる。
請求項６の発明では、シリンダ１１を、シリンダ１１自体の移動量が左右のケーブルガイド６１間に収まるようにしているので、シリンダ１１とケーブルガイド６１との接触を防止し、作動装置１０を確実に作動させることができる。
請求項７の発明では、シリンダ１１とケーブルガイド６１との接触を一層防止でき、作動装置１０を確実に作動させることができる。
請求項８の発明では、シリンダ１１とケーブルガイド６１との配置を合理的に構成でき、シリンダ１１とケーブルガイド６１の接触を一層防止でき、作動装置１０を確実に作動させることができる。
請求項９の発明では、シリンダ１１の取付構成を、部品点数を減少させて簡素にし、軽量化およびコスト削減できる。
請求項１０の発明では、座席シート３を後方移動させる座席移動用プリテンショナ装置１０Ａを安定して作動させ、着座者を良好に拘束することができる。
請求項１１の発明では、シートベルト４０を緊張させるベルト用プリテンショナ装置１０Ｂを安定して作動させ、着座者を良好に拘束することができる。
請求項１２の発明では、座席移動用プリテンショナ装置１０Ａおよびベルト用プリテンショナ装置１０Ｂの両者を、車両用シートに装着でき、着座者の拘束効果を一層向上させた車両用シートを提供することができ、また、座席移動用プリテンショナ装置１０Ａおよびベルト用プリテンショナ装置１０Ｂの上下の設置スペースを小さくできる。
請求項１３の発明では、座席移動用プリテンショナ装置１０Ａおよびベルト用プリテンショナ装置１０Ｂのシリンダ１１の干渉を防止できる。
【手続補正４】
【補正対象書類名】図面
【補正対象項目名】図１２
【補正方法】変更
【補正の内容】
【図１２】
2010155581.tif 000001